(57)【特許請求の範囲】
【請求項１】
汚泥に亜硝酸塩を添加して脱水機により固液分離し、固液分離後の脱水ケーキに静菌剤を添加することを特徴とする脱水ケーキの臭気発生防止方法。
【請求項２】
静菌剤が亜硝酸塩である請求項１記載の脱水ケーキの臭気発生防止方法。
【発明の詳細な説明】
【０００１】
【発明の属する技術分野】
本発明は、脱水ケーキの臭気発生防止方法に関する。さらに詳しくは、本発明は、下水処理場、し尿処理場などの脱水ケーキから発生する硫化水素、メチルメルカプタン、アンモニア、アミンなどに由来する臭気を長時間にわたって防止することができる脱水ケーキの臭気発生防止方法に関する。
【０００２】
【従来の技術】
下水処理場、し尿処理場や、食品工場、紙パルプ工場などの有機性産業排水の処理工程などにおいては、各種の汚泥が発生する。例えば、下水を最初沈殿池で固液分離すると初沈生汚泥が発生し、最初沈殿池の上澄水を曝気槽などを用いて浮遊生物方式により処理すると、活性汚泥の量が増加する。曝気槽などで処理された水は最終沈殿池に導かれ、活性汚泥が分離され、その一部は返送汚泥として曝気槽などに返送され、残余は余剰汚泥とされる。初沈生汚泥と余剰汚泥は、汚泥濃縮槽に導かれ、その後、汚泥貯留槽にいったん貯留される。汚泥貯留槽内の汚泥は、次いで脱水機により脱水され、得られた脱水ケーキは埋め立てや、焼却のために搬出される。
脱水後の脱水ケーキは、腐敗により悪臭物質を発生する。下水処理場で発生する悪臭物質として頻繁に検出される物質は、硫化水素、メチルメルカプタンなどのイオウ化合物、アンモニア、トリメチルアミンなどの窒素化合物、吉草酸、イソ酪酸などの低級脂肪酸などである。これらの中で、硫化水素とメチルメルカプタンの量が特に多い。
汚泥貯留槽や脱水機の多くは密閉系となっているが、脱水により得られる脱水ケーキは開放系で運搬、保管される場合が多いので、臭気対策は重要である。すなわち、脱水ケーキの運搬には、通常コンベアやトラックなどが使われ、臭気発生源である脱水ケーキが移動するので、覆蓋、臭気の吸引などによる処理が困難であり、臭気対策がむつかしい。また、最終埋め立て地においても、発生する臭気が拡散し、付近の住民に不快感を与えるなど、環境に悪影響を及ぼす。このために、脱水ケーキから発生する臭気自体を抑制する必要があり、従来よりさまざまな脱臭方法が提案されている。
本出願人は、特開２０００−２０２４９４号公報において、非塩素系、非金属系の処理剤を用いて、低コストで効果的に脱水ケーキの臭気の発生を防止する方法として、亜硝酸塩、亜硫酸塩又は亜硫酸水素塩を汚泥スラリーに添加したのち脱水する方法を提案し、特開２０００−２８８５９２号公報において、脱水ケーキ中に窒素分を残留させる亜硝酸塩の添加量を少なくして十分な消臭効果が発現する脱水ケーキの臭気発生防止方法として、酸化剤、金属塩又は有機系殺菌剤と亜硝酸塩を併用して汚泥スラリーに添加する方法を提案した。また、脱水ケーキに静菌剤を添加して、混合することなく防臭効果を発現させ、しかもその効果を持続することができる脱水ケーキの臭気発生防止方法として、脱水ケーキに、２５℃において水１００mLに２０ｇ以上溶解する静菌剤を添加する方法を見いだした。しかし、この方法によっても臭気発生防止効果の持続時間は４８時間程度であり、さらに長時間にわたって臭気発生を防止し得る方法が求められていた。
【０００３】
【発明が解決しようとする課題】
本発明は、下水処理場、し尿処理場などの脱水ケーキから発生する硫化水素、メチルメルカプタン、アンモニア、アミンなどに由来する臭気を長時間にわたって防止することができる脱水ケーキの臭気発生防止方法を提供することを目的としてなされたものである。
【０００４】
【課題を解決するための手段】
本発明者らは、上記の課題を解決すべく鋭意研究を重ねた結果、汚泥に亜硝酸塩を添加して脱水機により固液分離し、さらに固液分離後の脱水ケーキに静菌剤を添加するか、あるいは、汚泥に亜硝酸塩と水不溶性若しくは汚泥固形物質に吸着される静菌剤を添加して脱水機により固液分離することにより、脱水ケーキの臭気発生を長時間にわたって防止し得ることを見いだし、この知見に基づいて本発明を完成するに至った。
すなわち、本発明は、
（１）汚泥に亜硝酸塩を添加して脱水機により固液分離し、固液分離後の脱水ケーキに静菌剤を添加することを特徴とする脱水ケーキの臭気発生防止方法、及び、
（２）静菌剤が亜硝酸塩である請求項１記載の脱水ケーキの臭気発生防止方法、を提供するものである。
【０００５】
【発明の実施の形態】
本発明の脱水ケーキの臭気発生防止方法においては、汚泥に亜硝酸塩を添加して脱水機により固液分離し、固液分離後の脱水ケーキに静菌剤を添加する。
本発明方法を適用する汚泥に特に制限はなく、例えば、下水処理汚泥、し尿処理汚泥、用水処理汚泥、紙パルプ工場などの工場排水処理汚泥などに適用することができ、また、凝集処理汚泥、生物処理汚泥のいずれにも適用することができる。
本発明方法において、汚泥に添加する亜硝酸塩に特に制限はなく、例えば、亜硝酸アンモニウム、亜硝酸リチウム、亜硝酸ナトリウム、亜硝酸カリウム、亜硝酸ルビジウム、亜硝酸セシウム、亜硝酸マグネシウム、亜硝酸カルシウム、亜硝酸ストロンチウム、亜硝酸バリウム、亜硝酸ニッケル、亜硝酸亜鉛、亜硝酸タリウムなどを挙げることができる。これらの中で、亜硝酸ナトリウム、亜硝酸カリウム及び亜硝酸カルシウムは、入手と取り扱いが容易であり、脱水ケーキの二次利用の支障とならないので、好適に使用することができる。
【０００６】
本発明方法において、汚泥への亜硝酸塩の添加量は、汚泥１Ｌ当たり３０〜３００mgであることが好ましく、汚泥１Ｌ当たり５０〜２００mgであることがより好ましい。亜硝酸塩の添加量が汚泥１Ｌ当たり３０mg未満であると、臭気発生防止効果が不十分となるおそれがある。亜硝酸塩の添加量は、汚泥１Ｌ当たり３００mg以下で７２時間程度の臭気発生防止効果が十分に発現し、通常は汚泥１Ｌ当たり３００mgを超える亜硝酸塩を添加する必要はない。
汚泥への亜硝酸塩の添加方法に特に制限はなく、例えば、亜硝酸塩をそのまま添加することができ、あるいは、亜硝酸塩を水溶液として添加することもできる。亜硝酸塩を水溶液として添加する方法は、定量ポンプなどを使用することができ、作業性が良好で運転管理が容易になるので、好適に用いることができる。
汚泥に亜硝酸塩を添加したのち、脱水するまでの時間は１５分以上必要で、好ましくは１時間ないし５時間である。脱水するまでの時間すなわち接触時間が短いと、汚泥中の臭気発生に関与する微生物活動を抑制できない。
本発明方法において、汚泥の固液分離に用いる脱水機に特に制限はなく、例えば、遠心脱水機、ベルトプレス脱水機、スクリュープレス脱水機、真空脱水機、フィルタープレス脱水機などを挙げることができる。
【０００７】
本発明方法において、静菌剤とは、細菌の発育あるいは増殖を阻止する薬剤である。本発明方法においては、一般に殺菌剤と称されている薬剤も、低濃度で用いることにより静菌作用を発現させ、静菌剤として使用することができる。本発明方法に用いる静菌剤としては、例えば、亜硝酸塩、次亜塩素酸塩、第四級アンモニウム塩、エタノール、ホルムアルデヒド、ピリチオン又はその誘導体、ソルビン酸などを挙げることができる。これらの中で、亜硝酸塩及びピリチオン又はその誘導体を好適に用いることができる。亜硝酸塩としては、例えば、亜硝酸アンモニウム、亜硝酸リチウム、亜硝酸ナトリウム、亜硝酸カリウム、亜硝酸ルビジウム、亜硝酸セシウム、亜硝酸マグネシウム、亜硝酸カルシウム、亜硝酸ストロンチウム、亜硝酸バリウム、亜硝酸ニッケル、亜硝酸亜鉛、亜硝酸タリウムなどを挙げることができる。ピリチオン又はその誘導体としては、例えば、ピリチオン、ナトリウムピリチオン、亜鉛ピリチオン、ジピリチオンなどを挙げることができる。
【０００８】
本発明方法において、脱水ケーキに静菌剤を添加する方法に特に制限はなく、例えば、固体又は液体の静菌剤をそのまま脱水ケーキに添加することができ、あるいは、静菌剤の水溶液又は水分散液を脱水ケーキに添加することもできる。静菌剤を水溶液又は水分散液として添加する場合は、希釈倍率が大きいと、水分を多く加えることになり、ケーキ含水率を上昇させることになる。したがって、水溶液又は水分散液の濃度は、２０重量％以上であることが好ましい。静菌剤を脱水ケーキに添加する場所に特に制限はなく、例えば、静菌剤を高濃度の水溶液又は水分散液とし、散布器を用いて、脱水ケーキの搬送部、ケーキホッパーへの落ち口などに散布することができる。
本発明方法において、脱水ケーキへの静菌剤の添加量に特に制限はなく、静菌剤の静菌力などに応じて適宜選択することができる。例えば、静菌剤として亜硝酸塩を用いるときは、その添加量は、脱水ケーキ１kg当たり５００〜５,０００mgであることが好ましく、脱水ケーキ１kg当たり１,０００〜４,０００mgであることがより好ましい。静菌剤としてピリチオン又はその誘導体を用いるときは、その添加量は、脱水ケーキ１kg当たり５０〜５００mgであることが好ましく、脱水ケーキ１kg当たり１００〜３００mgであることがより好ましい。
【０００９】
亜硝酸塩は、汚泥及び脱水ケーキに対して臭気成分を分解する効果と臭気成分の発生を抑制する効果を有するが、汚泥中の微生物により分解され、その濃度が減少する。脱水ケーキ中に亜硝酸イオンが残存しなくなると、その時点から臭気発生が始まる。脱水ケーキでの亜硝酸塩の分解は、微生物濃度が高いために汚泥に比較してかなり大きく、また、経時的にその速度が速まる傾向がある。
本発明方法においては、汚泥に亜硝酸塩を添加して脱水機により固液分離し、固液分離後の脱水ケーキに静菌剤、例えば、亜硝酸塩を添加する。亜硝酸塩を脱水前の汚泥に添加することにより、亜硝酸イオンの初期分解速度を低くし、その結果、脱水ケーキ中の亜硝酸イオンの分解速度は著しく低下して、亜硝酸イオンが長時間にわたって残存するために、脱水ケーキの臭気発生防止時間を大きく延長することが可能になると考えられる。亜硝酸塩の添加量が同じであっても、亜硝酸塩の全量を汚泥に添加して脱水機により固液分離する方法、あるいは、汚泥を固液分離して得られる脱水ケーキに亜硝酸塩の全量を添加する方法に比べて、亜硝酸塩を汚泥と固液分離後の脱水ケーキに分けて添加する本発明方法の方が、長時間にわたって脱水ケーキ中に亜硝酸イオンが残存し、臭気発生防止時間が顕著に延長され、７２時間以上の臭気発生防止が可能となる。
脱水ケーキに添加する亜硝酸塩以外の静菌剤に関しては、その分解や機能低下については不明であるが、脱水前の汚泥に添加された亜硝酸塩によって、亜硝酸塩の分解能のみならず、臭気発生に係わる蛋白分解に関与する微生物の活性を低下させているものと推定される。
本発明方法によれば、脱水前の汚泥に添加する亜硝酸塩は、脱水ケーキに添加する静菌剤、又は、汚泥から脱水ケーキに伴われる水不溶性又は汚泥固形物に吸着される静菌剤の効果を高めるのみならず、脱水前の汚泥自体から発生する硫化水素、メチルメルカプタンなどの臭気を防止する。したがって、本発明方法によれば、汚泥貯留槽、脱水工程、脱水ケーキ貯留槽、脱水ケーキの搬出、運搬工程に至る広範な工程のすべてにおいて、臭気発生を防止することができる。
【００１０】
【実施例】
以下に、実施例を挙げて本発明をさらに詳細に説明するが、本発明はこれらの実施例によりなんら限定されるものではない。
実施例１
懸濁物質濃度２２,０００mg／Ｌ、懸濁物質中の有機分比率８３.２重量％、pH５.１の下水混合生汚泥の処理を行った。
汚泥３００mLに、亜硝酸ナトリウム４５mgを添加し、２時間経過したのちカチオン系高分子凝集剤［栗田工業(株)、ＣＰ６０４］の０.２重量％水溶液１８mLを加え、直径６０mmのカラムで重力ろ過し、さらに５０kPaの圧力で２分間圧搾脱水して、含水率７５.８重量％の脱水ケーキ２７.３ｇを得た。
得られた脱水ケーキに亜硝酸ナトリウム５４.５mgを加えて均一に混合し、テトラパックに窒素ガス６７５mLとともに入れ、ヒートシールして３０℃に保管し、２４時間後、４８時間後及び７２時間後の窒素ガス中の硫化水素とメチルメルカプタンの濃度をガス検知管［ガステック(株)］を用いて測定した。
汚泥への亜硝酸ナトリウムの添加量は１５０mg／Ｌであって、脱水ケーキに対しては１,６５０mg／kg−ケーキに相当し、脱水ケーキへの亜硝酸ナトリウムの添加量は２,０００mg／kg−ケーキである。
２４時間後、４８時間後ともに、硫化水素もメチルメルカプタンも検出されなかった。７２時間後、硫化水素の濃度は５ppmであり、メチルメルカプタンの濃度は２０ppmであった。
実施例２
脱水ケーキへの亜硝酸ナトリウムの添加量を３,０００mg／kg−ケーキとして以外は、実施例１と同じ操作を行った。
２４時間後、４８時間後、７２時間後のいずれにおいても、硫化水素もメチルメルカプタンも検出されなかった。
実施例３
脱水ケーキに、亜硝酸ナトリウムの代わりに、ナトリウムピリチオン５.５mgを加えた以外は、実施例１と同じ操作を行った。脱水ケーキへのナトリウムピリチオンの添加量は、２００mg／kg−ケーキである。
２４時間後、４８時間後、７２時間後のいずれにおいても、硫化水素もメチルメルカプタンも検出されなかった。
実施例４
ナトリウムピリチオンの代わりに亜鉛ピリチオンを用いた以外は、実施例３と同じ操作を行った。
２４時間後、４８時間後ともに、硫化水素もメチルメルカプタンも検出されなかった。７２時間後に、硫化水素は検出されなかったが、メチルメルカプタンの濃度は５ppmであった。
【００１１】
比較例１
実施例１と同じ汚泥３００mLに、亜硝酸ナトリウム４５mgを添加し、２時間経過したのちカチオン系高分子凝集剤［栗田工業(株)、ＣＰ６０４］の０.２重量％水溶液１８mLを加え、直径６０mmのカラムで重力ろ過し、さらに５０kPaの圧力で２分間圧搾脱水して、含水率７５.８重量％の脱水ケーキ２７.３ｇを得た。
得られた脱水ケーキをテトラパックに窒素ガス６７５mLとともに入れ、ヒートシールして３０℃に保管し、２４時間後、４８時間後及び７２時間後の窒素ガス中の硫化水素とメチルメルカプタンの濃度を測定した。
汚泥への亜硝酸ナトリウムの添加量は１５０mg／Ｌであって、脱水ケーキに対しては１,６５０mg／kg−ケーキに相当する。
２４時間後、硫化水素の濃度は３０ppm、メチルメルカプタンの濃度は１００ppmであった。４８時間後、硫化水素の濃度は９００ppm、メチルメルカプタンの濃度は１,５００ppmであった。７２時間後、硫化水素の濃度は１,２００ppm、メチルメルカプタンの濃度は１,８００ppmであった。
比較例２
汚泥への亜硝酸ナトリウムの添加量を３００mg／Ｌとした以外は、比較例１と同じ操作を行った。
比較例３
汚泥への亜硝酸ナトリウムの添加量を４５０mg／Ｌとした以外は、比較例１と同じ操作を行った。
比較例４
実施例１と同じ汚泥３００mLに、カチオン系高分子凝集剤［栗田工業(株)、ＣＰ６０４］の０.２重量％水溶液１８mLを加え、直径６０mmのカラムで重力ろ過し、さらに５０kPaの圧力で２分間圧搾脱水して、含水率７５.８重量％の脱水ケーキ２７.３ｇを得た。
得られた脱水ケーキに亜硝酸ナトリウム８１.８mgを加えて均一に混合し、テトラパックに窒素ガス６７５mLとともに入れ、ヒートシールして３０℃に保管し、２４時間後、４８時間後及び７２時間後の窒素ガス中の硫化水素とメチルメルカプタンの濃度を測定した。
脱水ケーキへの亜硝酸ナトリウムの添加量は、３,０００mg／kg−ケーキである。
２４時間後、硫化水素もメチルメルカプタンも検出されなかった。４８時間後、硫化水素の濃度は５ppm、メチルメルカプタンの濃度は２０ppmであった。７２時間後、硫化水素の濃度は８００ppm、メチルメルカプタンの濃度は１,５００ppmであった。
比較例５
脱水ケーキへの亜硝酸ナトリウムの添加量を５,０００mg／kg−ケーキとした以外は、比較例４と同じ操作を行った。
比較例６
亜硝酸ナトリウムの代わりに、ナトリウムピリチオン２００mg／kg−ケーキを添加した以外は、比較例４と同じ操作を行った。
比較例７
亜硝酸ナトリウムの代わりに、亜鉛ピリチオン２００mg／kg−ケーキを添加した以外は、比較例４と同じ操作を行った。
比較例８
実施例１と同じ汚泥３００mLに、カチオン系高分子凝集剤［栗田工業(株)、ＣＰ６０４］の０.２重量％水溶液１８mLを加え、直径６０mmのカラムで重力ろ過し、さらに５０kPaの圧力で２分間圧搾脱水して、含水率７５.８重量％の脱水ケーキ２７.３ｇを得た。
得られた脱水ケーキをテトラパックに窒素ガス６７５mLとともに入れ、ヒートシールして３０℃に保管し、２４時間後、４８時間後及び７２時間後の窒素ガス中の硫化水素とメチルメルカプタンの濃度を測定した。
２４時間後、硫化水素の濃度は３００ppm、メチルメルカプタンの濃度は４５０ppmであった。４８時間後、硫化水素の濃度は８００ppm、メチルメルカプタンの濃度は１,３００ppmであった。７２時間後、硫化水素の濃度は１,０００ppm、メチルメルカプタンの濃度は１,５００ppmであった。
実施例１〜４及び比較例１〜８の結果を、第１表に示す。
【００１２】
【表１】
0003900512.tif 000002
【００１３】
0003900512.tif 000003
第１表に見られるように、汚泥に亜硝酸ナトリウムを添加して固液分離し、固液分離後の脱水ケーキに亜硝酸ナトリウム、ナトリウムピリチオン又は亜鉛ピリチオンを添加した実施例１〜４では、４８時間後までは硫化水素もメチルメルカプタンも全く検出されず、７２時間後も硫化水素とメチルメルカプタンは発生しないか、あるいは、発生してもごく微量である。
これに対して、汚泥にのみ亜硝酸ナトリウムを添加して固液分離した比較例１〜３では、短時間で硫化水素とメチルメルカプタンが発生している。また、脱水ケーキに亜硝酸ナトリウムを添加した比較例４〜５は、比較例１〜３よりは良好な結果であるが、７２時間後には多量の硫化水素とメチルメルカプタンが発生している。実施例２と比較例５を比べると、添加した亜硝酸ナトリウムの量は実施例３の方が少ないにもかかわらず、硫化水素とメチルメルカプタンの発生量が少なく、亜硝酸ナトリウムを汚泥と脱水ケーキに分けて添加する本発明方法により、効果的に臭気の発生を防止し得ることが分かる。脱水ケーキにのみナトリウムピリチオン又は亜鉛ピリチオンを添加した比較例６〜７では、２４時間後にすでに硫化水素とメチルメルカプタンが発生している。
【００１４】
実施例５
懸濁物質濃度２４,３００mg／Ｌ、懸濁物質中の有機分比率８４.４重量％、pH５.４の下水混合生汚泥の処理を行った。
汚泥３００mLに、亜硝酸ナトリウム４５mgを添加し、２時間経過したのちカチオン系高分子凝集剤［栗田工業(株)、ＣＰ６０４］の０.２重量％水溶液１８mLを加え、直径６０mmのカラムで重力ろ過し、さらに５０kPaの圧力で２分間圧搾脱水して、含水率７５.７重量％の脱水ケーキ３０.０ｇを得た。
得られた脱水ケーキに亜硝酸ナトリウム６０.０mgを加えて均一に混合し、テトラパックに窒素ガス７５０mLとともに入れ、ヒートシールして３０℃に保管し、２４時間後、４８時間後及び７２時間後の窒素ガス中の硫化水素とメチルメルカプタンの濃度をガス検知管［ガステック(株)］を用いて測定した。
汚泥への亜硝酸ナトリウムの添加量は１５０mg／Ｌであって、脱水ケーキに対しては１,５００mg／kg−ケーキに相当し、脱水ケーキへの亜硝酸ナトリウムの添加量は２,０００mg／kg−ケーキである。
２４時間後、４８時間後ともに、硫化水素もメチルメルカプタンも検出されなかった。７２時間後、硫化水素の濃度は２ppmであり、メチルメルカプタンの濃度は１０ppmであった。
同様にして、亜硝酸ナトリウムを添加した脱水ケーキを調製し、密封して３０℃に保管し、２４時間後、４８時間後、７２時間後に１０ｇずつを取り出して純水各１００mLに分散し、ＪＩＳ Ｋ ０１０２ ４３.１.２にしたがって亜硝酸イオン濃度を測定し、汚泥ケーキ１kg当たりの亜硝酸イオンの濃度を算出した。亜硝酸イオンの濃度は、２４時間後９００mg／kg−ケーキ、４８時間後４００mg／kg−ケーキ、７２時間後０mg／kg−ケーキであった。
実施例６
脱水ケーキへの亜硝酸ナトリウムの添加量を３,０００mg／kg−ケーキとした以外は、実施例５と同じ操作を行った。
２４時間後、４８時間後、７２時間後ともに、硫化水素もメチルメルカプタンも検出されなかった。亜硝酸イオンの濃度は、２４時間後１,７００mg／kg−ケーキ、４８時間後１,３００mg／kg−ケーキ、７２時間後６００mg／kg−ケーキであった。
【００１５】
比較例９
実施例５と同じ汚泥３００mLに、カチオン系高分子凝集剤［栗田工業(株)、ＣＰ６０４］の０.２重量％水溶液１８mLを加え、直径６０mmのカラムで重力ろ過し、さらに５０kPaの圧力で２分間圧搾脱水して、含水率７５.７重量％の脱水ケーキ３０.０ｇを得た。
得られた脱水ケーキに亜硝酸ナトリウム１０５mgを加えて均一に混合し、テトラパックに窒素ガス７５０mLとともに入れ、ヒートシールして３０℃に保管し、２４時間後、４８時間後及び７２時間後の窒素ガス中の硫化水素とメチルメルカプタンの濃度を測定した。脱水ケーキへの亜硝酸ナトリウムの添加量は、３,５００mg／kg−ケーキである。
２４時間後、硫化水素もメチルメルカプタンも検出されなかった。４８時間後、硫化水素の濃度は２００ppm、メチルメルカプタンの濃度は７００ppmであった。７２時間後、硫化水素の濃度は９００ppm、メチルメルカプタンの濃度は１,８００ppmであった。
同様にして、亜硝酸ナトリウムを添加した脱水ケーキを調製し、密封して３０℃に保管し、２４時間後、４８時間後、７２時間後に１０ｇずつを取り出して純水各１００mLに分散して亜硝酸イオン濃度を測定し、汚泥ケーキ１kg当たりの亜硝酸イオンの濃度を算出した。亜硝酸イオンの濃度は、２４時間後５００mg／kg−ケーキ、４８時間後０mg／kg−ケーキ、７２時間後０mg／kg−ケーキであった。
比較例１０
脱水ケーキへの亜硝酸ナトリウムの添加量を５,０００mg／kg−ケーキとした以外は、比較例９と同じ操作を行った。
２４時間後、４８時間後ともに、硫化水素もメチルメルカプタンも検出されなかった。７２時間後、硫化水素の濃度は１００ppm、メチルメルカプタンの濃度は４００ppmであった。亜硝酸イオンの濃度は、２４時間後２,１００mg／kg−ケーキ、４８時間後４００mg／kg−ケーキ、７２時間後０mg／kg−ケーキであった。
実施例５〜６及び比較例９〜１０の結果を、第２表に示す。
【００１６】
【表２】
0003900512.tif 000004
【００１７】
第２表に見られるように、汚泥に亜硝酸ナトリウム１５０mg／Ｌを添加して固液分離し、固液分離後の脱水ケーキにさらに亜硝酸ナトリウム２,０００mg／kg−ケーキを添加した実施例５では、４８時間後までは硫化水素もメチルメルカプタンも全く検出されず、７２時間後の硫化水素とメチルメルカプタンの発生量はごくわずかである。また、脱水ケーキ中には４８時間後まで亜硝酸イオンが残存している。脱水ケーキへの亜硝酸ナトリウムの添加量を３,０００mg／kg−ケーキに増加した実施例６では、７２時間後まで硫化水素もメチルメルカプタンも発生せず、脱水ケーキ中には７２時間後も亜硝酸イオンが残存している。
これに対して、脱水ケーキにのみ亜硝酸ナトリウムを添加した比較例９〜１０では、７２時間後には多量の硫化水素とメチルメルカプタンが発生しており、脱水ケーキ中の亜硝酸イオンの消滅も早い。実施例６と比較例１０を比べると、添加した亜硝酸ナトリウムの量は実施例６の方が少ないにもかかわらず、硫化水素とメチルメルカプタンの発生量が少なく、残存する亜硝酸イオンの量が多く、亜硝酸ナトリウムを汚泥と脱水ケーキに分けて添加する本発明方法により、効果的に臭気の発生を防止し得ることが分かる。
【００１８】
【発明の効果】
本発明の脱水ケーキの臭気発生防止方法によれば、汚泥に亜硝酸塩を添加して脱水したのち固液分離により得られる脱水ケーキに静菌剤を添加することにより、あるいは、汚泥に亜硝酸塩と水不溶性又は汚泥固形物に吸着される静菌剤を添加して固液分離することにより、長時間にわたって脱水ケーキ中に亜硝酸イオンを残存させ、硫化水素、メチルメルカプタンなどの悪臭物質の発生を効果的に防止することができる。